(57)【要約】【課題】端子とコネクタなどとを容易に着脱できるように、電子機器の筐体に設けられた開口部を塞ぐシャッター開閉機構を提供する。【解決手段】開口部の近傍にスライド移動可能に配置され、常態では該開口部を塞ぐシャッター１ａ，１ｂと、シャッター１ａ，１ｂを開口部を塞ぐ方向に弾発付勢する弾性材２３ａ，２３ｂと、開口部の開口面と略垂直に配置される軸部２２と、シャッター１ａ，１ｂの端部近傍に頂点が配置され底面は軸部２２に接続された略錐状のガイド部２１とからなり、軸部２２の軸方向へ移動可能に配置された開閉ピン２０とを有し、開閉ピン２０が軸部の軸方向へ押下された場合には、ガイド部２１はシャッター１ａ，１ｂを錐面に沿ってスライド移動させ、開口部を開通させる。【選択図】        図１
2004273372.tif 000002
【特許請求の範囲】
【請求項１】
開口部の近傍にスライド移動可能に配置され、常態では該開口部を塞ぐシャッターと、
前記シャッターを前記開口部を塞ぐ方向に弾発付勢する弾性材と、
前記開口部の開口面と略垂直に配置される軸部と、前記シャッターの端部近傍に頂点が配置され底面は前記軸部に接続された略錐状のガイド部とからなり、前記軸部の軸方向へ移動可能に配置された開閉ピンとを有し、
前記開閉ピンが前記軸部の軸方向へ押下された場合には、前記ガイド部は前記シャッターを錐面に沿ってスライド移動させ、前記開口部を開通させることを特徴とするシャッター開閉機構。
【請求項２】
開口部の近傍にスライド移動可能に配置され、常態では該開口部を塞ぐシャッターと、
前記開口部を塞ぐ方向に前記シャッターを弾発付勢する弾性材と、
前記開口部の開口面と垂直に配置される軸部と、前記シャッターの端部近傍に頂点が配置され底面は前記軸部に接続された円錐状のガイド部とからなり、前記シャッターの両端部近傍に前記軸部の軸方向へ移動可能にそれぞれ配置された二つの開閉ピンとを有し、
少なくともいずれかの開閉ピンが前記軸部の軸方向へ押下された場合には、押下された開閉ピンのガイド部は前記シャッターを錐面に沿ってスライド移動させ、前記開口部を開通させることを特徴とするシャッター開閉機構。
【請求項３】
前記開閉ピンを前記軸部の軸方向に押下する力が取り除かれた場合には、前記弾性体が前記シャッターをスライド移動させて前記開口部を塞ぐとともに、前記開閉ピンは前記ガイド部の錐面に沿ってスライド移動するシャッターによって押し戻されることを特徴とする請求項１又は２記載のシャッター開閉機構。
【請求項４】
開口部の近傍にスライド移動可能に配置され、常態では該開口部を塞ぐ一対のシャッターと、
前記一対のシャッターの各々を互いに向き合う方向に弾発付勢して当接させる弾性材と、
前記開口部の開口面と略垂直に配置される軸部と、前記一対のシャッターの端部近傍かつ各シャッター同士の境界部分に頂点が配置され底面は前記軸部に接続された略錐状のガイド部とからなり、前記軸部の軸方向へ移動可能に配置された開閉ピンとを有し、
前記開閉ピンが前記軸部の軸方向へ押下された場合には、前記ガイド部は前記一対のシャッターのそれぞれを錐面に沿ってスライド移動させ、前記開口部を開通させることを特徴とするシャッター開閉機構。
【請求項５】
開口部の近傍にスライド移動可能に配置され、常態では該開口部を塞ぐ一対のシャッターと、
前記一対のシャッターの各々を互いに向き合う方向に弾発付勢して当接させる弾性材と、
前記開口部の開口面と略垂直に配置される軸部と、前記一対のシャッターの端部近傍かつ各シャッター同士の境界部分に頂点が配置され底面は前記軸部に接続された略錐状のガイド部とからなり、前記シャッターの両端部近傍に前記軸部の軸方向へ移動可能にそれぞれ配置された二つの開閉ピンとを有し、
少なくともいずれかの開閉ピンが前記軸部の軸方向に押下された場合には、押下された開閉ピンのガイド部は前記一対のシャッターのそれぞれを錐面に沿ってスライド移動させ、前記開口部を開通させることを特徴とするシャッター開閉機構。
【請求項６】
前記開閉ピンを前記軸部の軸方向に押下する力が取り除かれた場合には、前記弾性体が前記一対のシャッターのそれぞれをスライド移動させて前記開口部を塞ぐとともに、前記開閉ピンは前記ガイド部の錐面に沿ってスライド移動する前記一対のシャッターによって押し戻されることを特徴とする請求項４又は５記載のシャッター開閉機構。
【請求項７】
前記シャッターには、前記ガイド部の錐面が当接する箇所に面取り面が形成されたことを特徴とする請求項１から６のいずれか１項記載のシャッター開閉機構。
【請求項８】
前記ガイド部が略円錐状であることを特徴とする請求項１から７のいずれか１項記載のシャッター開閉機構。
【発明の詳細な説明】
【０００１】
【発明の属する技術分野】
本発明は、コネクタ差し込み口などの開口部に配置されるシャッターを開閉する機構に関し、特に、シャッターを開閉するためだけの操作を行う必要のないシャッター開閉機構に関する。
【０００２】
【従来の技術】
近年、小型通信端末などの電子機器は、一般に、ケーブルや外部装置などが接続される端子（例えば、データ入出力端子（Ｉ／Ｏ端子））を備えており、筐体にはコネクタなどを嵌合するための開口部が設けられている。
【０００３】
このような端子の中には、常時使用されるのではなく必要な場合にのみ使用されるものもある。
【０００４】
必要な場合にのみ使用される端子は、コネクタなどの接続対象物が何度も着脱され、電子機器が製造されてから製品としての寿命を終えるまで（消費者が使用を終えるまで）の間繰り返し使用される。例えば、小型端末においては情報の書換、取り込み、消去、再生やソフトウエアの動作チェックなどの作業は、Ｉ／Ｏと呼ばれる端子（データ通信部）を介して行われるため、これにはコネクタなどが繰り返し着脱される。このため、このような端子を使用しない場合は筐体の開口部を塞ぎ、端子を保護したり筐体内に異物が侵入したりしないようにする必要がある。
【０００５】
従来の小型通信端末においては、筐体の開口部にゴム製のカバーを配置し、端子を使用しない場合はこれで筐体の開口部を塞ぐ手法が一般的であった。
【０００６】
しかし、ゴム製のカバーで筐体の開口部を塞ぐ場合、端子にコネクタなどを差し込むためには、先ずカバーを開いて端子を露出させ、続いて端子にコネクタなどを差し込む必要がある。
端子にコネクタなどを差し込むために二つの動作を行わなければならないことは、ユーザに煩雑な作業を強いることとなる。
【０００７】
さらに、携帯端末の場合には、ユーザが端末自体を保持した状態で接続作業を行わなければならないため、カバーを開く動作を容易に行えない場合もある。
【０００８】
また、端子に接続したコネクタを取り外す場合には、端子からコネクタを抜き取った後に、開口部をカバーで塞ぐ作業を行わなければならない。すなわち、端子からコネクタを抜き取る作業と、開口部を塞ぐ作業とを別個に行わなければならない。よって、この場合にもユーザに煩雑な作業を強いることとなる。さらに、この場合には開口部を塞ぎ忘れると、端子が破損したりする原因となってしまう。
【０００９】
このように、ゴム製のカバーを用いる手法では、ユーザが端子にコネクタなどを着脱しやすい状態で筐体の開口部を塞ぐことはできなかった。
【００１０】
外部装置などが接続されるコネクタにシャッターを設けた従来技術としては、特許文献１に開示される「カードコネクタの排出機構」がある。
【００１１】
【特許文献１】
特開２０００−３１１７４５号公報
【００１２】
【発明が解決しようとする課題】
特許文献１に開示される発明は、ＰＣカードやフレキシブルディスクなどのカード状の情報記録媒体に対して情報の記録を行っている場合や情報を読み出している最中には、記録装置（ＰＣカードリーダライタ、ＦＤＤなど）から情報記録媒体が排出できないようにするものである。
また、シャッターは、情報記録媒体を記録装置から取り出すためのカードイジェクタの動作を制限するために配置されるものであり、筐体の開口部を塞ぐために設けられるものではない。
このため、特許文献１に記載の発明を、電子機器が備える端子とコネクタなどとを接続するために筐体に設けた開口部を塞ぐことを目的として適用することはできない。
【００１３】
このように、従来は、端子とコネクタなどとを容易に着脱できるように、電子機器の筐体に設けられた開口部を塞ぐ機構は実現されていなかった。
【００１４】
本発明は係る問題に鑑みてなされたものであり、端子とコネクタなどとを容易に着脱できるように、電子機器の筐体に設けられた開口部を塞ぐシャッター開閉機構を提供することを目的とする。
【００１５】
【課題を解決するための手段】
上記目的を達成するため、本発明は、第１の態様として、開口部の近傍にスライド移動可能に配置され、常態では該開口部を塞ぐシャッターと、シャッターを開口部を塞ぐ方向に弾発付勢する弾性材と、開口部の開口面と略垂直に配置される軸部と、シャッターの端部近傍に頂点が配置され底面は軸部に接続された略錐状のガイド部とからなり、軸部の軸方向へ移動可能に配置された開閉ピンとを有し、開閉ピンが軸部の軸方向へ押下された場合には、ガイド部はシャッターを錐面に沿ってスライド移動させ、開口部を開通させることを特徴とするシャッター開閉機構を提供するものである。
【００１６】
また、上記目的を達成するため、本発明は、第２の態様として、開口部の近傍にスライド移動可能に配置され、常態では該開口部を塞ぐシャッターと、開口部を塞ぐ方向にシャッターを弾発付勢する弾性材と、開口部の開口面と垂直に配置される軸部と、シャッターの端部近傍に頂点が配置され底面は軸部に接続された円錐状のガイド部とからなり、シャッターの両端部近傍に軸部の軸方向へ移動可能にそれぞれ配置された二つの開閉ピンとを有し、少なくともいずれかの開閉ピンが軸部の軸方向へ押下された場合には、押下された開閉ピンのガイド部はシャッターを錐面に沿ってスライド移動させ、開口部を開通させることを特徴とするシャッター開閉機構を提供するものである。
【００１７】
上記本発明の第１の態様又は第２の態様においては、開閉ピンを軸部の軸方向に押下する力が取り除かれた場合には、弾性体がシャッターをスライド移動させて開口部を塞ぐとともに、開閉ピンはガイド部の錐面に沿ってスライド移動するシャッターによって押し戻されることが好ましい。
【００１８】
また、上記目的を達成するため、本発明は、第３の態様として、開口部の近傍にスライド移動可能に配置され、常態では該開口部を塞ぐ一対のシャッターと、一対のシャッターの各々を互いに向き合う方向に弾発付勢して当接させる弾性材と、開口部の開口面と略垂直に配置される軸部と、一対のシャッターの端部近傍かつ各シャッター同士の境界部分に頂点が配置され底面は軸部に接続された略錐状のガイド部とからなり、軸部の軸方向へ移動可能に配置された開閉ピンとを有し、開閉ピンが軸部の軸方向へ押下された場合には、ガイド部は一対のシャッターのそれぞれを錐面に沿ってスライド移動させ、開口部を開通させることを特徴とするシャッター開閉機構を提供するものである。
【００１９】
また、上記目的を達成するため、本発明は、第４の態様として、開口部の近傍にスライド移動可能に配置され、常態では該開口部を塞ぐ一対のシャッターと、一対のシャッターの各々を互いに向き合う方向に弾発付勢して当接させる弾性材と、開口部の開口面と略垂直に配置される軸部と、一対のシャッターの端部近傍かつ各シャッター同士の境界部分に頂点が配置され底面は軸部に接続された略錐状のガイド部とからなり、シャッターの両端部近傍に軸部の軸方向へ移動可能にそれぞれ配置された二つの開閉ピンとを有し、少なくともいずれかの開閉ピンが軸部の軸方向に押下された場合には、押下された開閉ピンのガイド部は一対のシャッターのそれぞれを錐面に沿ってスライド移動させ、開口部を開通させることを特徴とするシャッター開閉機構を提供するものである。
【００２０】
上記本発明の第３の態様又は第４の態様においては、開閉ピンを軸部の軸方向に押下する力が取り除かれた場合には、弾性体が一対のシャッターのそれぞれをスライド移動させて開口部を塞ぐとともに、開閉ピンはガイド部の錐面に沿ってスライド移動する一対のシャッターによって押し戻されることが好ましい。
【００２１】
上記本発明の第１の態様、第２の態様、第３の態様及び第４の態様のいずれの構成においても、シャッターには、ガイド部の錐面が当接する箇所に面取り面が形成されることが好ましい。また、ガイド部が略円錐状であることが好ましい。ガイド部を略円錐状とすればシャッターを容易にスライドさせることができる。
【００２２】
【発明の実施の形態】
〔第１の実施形態〕
本発明を好適に実施した第１の実施形態について説明する。図１に本実施形態にかかるシャッター開閉機構の構成を示す。このシャッター開閉機構は、シャッター部１、ピン押し構造部２及びシャッター収納部３から構成される。
シャッター部１は、筐体開口部を塞ぐための部材である。ピン押し構造部２は、シャッターを開閉するための機械的な機構であり、筐体開口部に隣接して設けられる。シャッター収納部３は、開いたシャッターを収納する空間を形成するための部材であり、筐体開口部の周縁に設けられる。
なお、シャッター開閉機構は電子機器の筐体と別個の構成であっても良いし、一体構成であってもよい。換言すると、電子機器の筐体の一部をシャッター収納部３とする構成であっても良いし、電子機器の筐体と別個の部材で構成されたシャッター収納部３を開口部に取り付けるようにしても良い。
【００２３】
シャッター部１は、シャッター１ａ及び１ｂを有しており、各シャッターは筐体開口部を幅方向に対して略対称に配置されている。シャッター１ａ及びシャッター１ｂは、それぞれ弾性材２３ａ，２３ｂによって弾発付勢されており、常態では筐体開口部を塞いでいる。なお、シャッター１ａ及び１ｂには、ピン構造部２と反対側の長手方向端部近傍に突起が形成されており、この突起がシャッター収納部３に形成された溝と嵌合している。各シャッターはこの溝に沿って摺動することで、シャッター収納部３に収納されたり、シャッター収納部３から突出したりする。また、各シャッターの一端（ピン機構部側）には棒状のレバー１１ａ，１１ｂがそれぞれ設けられている。
ピン構造部２は、略円錐状のガイド部２１と軸部２２とからなる開閉ピン２０と弾性体２３ａ，２３ｂとで構成されている。開閉ピン２０は、ガイド部２１の頂点がレバー１１ａとレバー１１ｂとの境界部に位置するように配置されている。
【００２４】
上記構造のシャッター開閉機構は、端子（入出力端子など）が配置された電子機器筐体の開口部をシャッター部１が塞ぐように配置される。よって、シャッター１ａ及びシャッター１ｂが開いてシャッター収納部３に収納された状態のときには、接続対象物（コネクタなど）を端子に接続することが可能となる。なお、上記シャッター構造は、開閉ピン２０の軸部２２が電子機器の筐体外側となるように配置される。
【００２５】
上記シャッター開閉機構が設けられた端子にコネクタなどを接続する場合の動作について説明する。
開閉ピン２０の軸部２２を軸方向に押下すると、図３に示すようにガイド部２１の頂点はレバー１１ａとレバー１１ｂとの間に入り込み、軸部２２に加えられた力と垂直に各シャッターを押しのける。
なお、レバー１１ａ及びレバー１１ｂのガイド部２１と当接する箇所に面取り面（Ｃ面、Ｒ面など）を設けておくと、各レバーとガイド部２１とが滑らかに摺動するため、シャッター１ａ及び１ｂを容易にスライド移動させることができる。
【００２６】
押しのけられたシャッター１ａ及び１ｂはシャッター収納部３に収納され、筐体開口部は開通する。これにより、筐体開口部を介して筐体外部から端子に触れることが可能な状態となる。
【００２７】
よって、端子と接続しようとするコネクタに軸部２２を押下するための突起を設けておくことによって、コネクタを筐体に押し当てるだけでシャッター１ａ，１ｂを開くことが可能となる。
【００２８】
また、シャッター１ａ及び１ｂは、弾性体２３ａ，２３ｂによって弾発付勢されているため、端子からコネクタを取り外すと、各シャッターに設けられているレバー１１ａ，１１ｂは、ガイド部２１の錐面に沿って開閉ピン２０を押し戻して元の位置に復帰する。よって、コネクタを端子から取り外すだけで、筐体開口部はシャッター１ａ及び１ｂによって塞がれる。なお、弾性体２３ａ，２３ｂは、ゴムのように材料自体が弾性を有するものであっても良いし、各種バネのように構造的に弾性が付与されたものであってもよい。
【００２９】
このように、本実施形態に係るシャッター開閉機構によれば、コネクタなどの接続対象物に突起を設けておくことで、これを押し当てるだけで筐体開口部を塞ぐシャッターを開くことができるようになる。すなわち、従来は二つの動作が必要であった作業を一つの動作だけで行えるため、端子とコネクタなどとの接続を容易に行える。
また、端子からコネクタなどを取り外すだけで筐体開口部をシャッターが塞ぐため、シャッターの閉め忘れが原因で端子が破損したり、筐体内部に異物が侵入してしまうことなどがない。
【００３０】
よって、ユーザが電子機器を使用する際にコネクタと端子とを容易に着脱できる。また、電子機器を製造する際にもソフトウエアなどのデータの書換は何度も行われるため、本実施形態に係るシャッター開閉機構を適用することにより電子機器の製造時間を短縮することが可能となる。
【００３１】
〔第２の実施形態〕
本発明を好適に実施した第２の実施形態について説明する。図４に、本実施形態に係るシャッター開閉機構の構成を示す。このシャッター開閉機構は、シャッター４、ピン構造部５及びシャッター収納部３から構成される。
シャッター４は、筐体開口部を塞ぐための部材である。ピン構造部５は、シャッターを開閉するための機械的な機構であり、筐体開口部に隣接して設けられる。シャッター収納部３は、開いたシャッターを収納する空間を形成するための部材であり、筐体開口部の周縁に設けられる。
なお、シャッター開閉機構は電子機器の筐体と別個の構成であっても良いし、一体構成であってもよい。換言すると、電子機器の筐体の一部をシャッター収納部３とする構成であっても良いし、電子機器の筐体と別個の部材で構成されたシャッター収納部３を開口部に取り付けるようにしても良い。
【００３２】
シャッター４は、弾性材４１によって弾発付勢されており、常態では筐体開口部を塞いでいる。なお、シャッター４には、ピン構造部５と反対側の長手方向端部近傍に突起が形成されており、この突起がシャッター収納部３に形成された溝と嵌合している。シャッター４はこの溝に沿って摺動することで、シャッター収納部３に収納されたり、シャッター収納部３から突出したりする。また、シャッター４のピン機構部側の端部には棒状のレバー４１が設けられている。
ピン構造部５は、略四角錐状のガイド部５１と軸部５２とからなる開閉ピン５０と弾性体５１とで構成されている。開閉ピン５０は、ガイド部５１の頂点がレバー４１とピン構造部５の外枠との境界部に位置するように配置されている。
【００３３】
上記構造のシャッター開閉機構は、端子（入出力端子など）が配置された電子機器筐体の開口部をシャッター４が塞ぐように配置される。よって、シャッター４が開いてシャッター収納部３に収納された状態のときには、接続対象物（コネクタなど）を端子に接続することが可能となる。なお、上記シャッター構造は、開閉ピン５０の軸部５２が電子機器の筐体外側となるように配置される。
【００３４】
上記シャッター開閉機構が設けられた端子にコネクタなどを接続する場合の動作について説明する。
開閉ピン５０の軸部５２を軸方向に押下すると、図５に示すようにガイド部５１の頂点はレバー４１とピン構造部５の外枠との間に入り込み、軸部５２に加えられた力と垂直にシャッター４を押しのける。
なお、レバー４１のガイド部２１と当接する箇所に面取り面（Ｃ面、Ｒ面など）を設けておくと、レバー４１とガイド部５１とが滑らかに摺動するため、シャッター４を容易にスライド移動させることができる。
【００３５】
押しのけられたシャッター４はシャッター収納部３に収納され、筐体開口部は開通する。これにより、筐体開口部を介して筐体外部から端子に触れることが可能な状態となる。
【００３６】
よって、端子と接続しようとするコネクタに軸部５２を押下するための突起を設けておくことによって、コネクタを筐体に押し当てるだけでシャッター４を開くことが可能となる。
【００３７】
また、シャッター４は、弾性体５３によって弾発付勢されているため、端子からコネクタを取り外すと、シャッター４に設けられているレバー４１は、ガイド部５１の錐面に沿って開閉ピン５０を押し戻して元の位置に復帰する。よって、コネクタを端子から取り外すだけで、筐体開口部はシャッター４によって塞がれる。なお、弾性体５３は、ゴムのように材料自体が弾性を有するものであっても良いし、各種バネのように構造的に弾性が付与されたものであってもよい。
【００３８】
このように、本実施形態に係るシャッター開閉機構によれば、コネクタなどの接続対象物に突起を設けておくことで、これを押し当てるだけで筐体開口部を塞ぐシャッターを開くことができる。すなわち、従来は二つの動作が必要であった作業を一つの動作だけで行えるため、端子とコネクタなどとの接続を容易に行える。
また、端子からコネクタなどを取り外すだけで筐体開口部をシャッターが塞ぐため、シャッターの閉め忘れが原因で端子が破損したり、筐体内部に異物が侵入してしまうことなどがない。
【００３９】
よって、ユーザが電子機器を使用する際にコネクタと端子とを容易に着脱できる。また、電子機器を製造する際にもソフトウエアなどのデータの書換は何度も行われるため、本実施形態に係るシャッター開閉機構を適用することにより電子機器の製造時間を短縮することが可能となる。
【００４０】
さらに、第１の実施形態の構成と比較すると部品点数が少ないため、組立工程を簡略化して電子機器の製造時間を短縮することが可能となる。
【００４１】
〔第３の実施形態〕
本発明を好適に実施した第３の実施形態について説明する。図６に本実施形態に係るシャッター開閉機構の構成を示す。このシャッター開閉機構は、シャッター部６、ピン構造部７ａ，７ｂ及びシャッター収納部３から構成されている。
シャッター部６は、筐体開口部を塞ぐための部材である。ピン構造部７ａ，７ｂは、シャッターを開閉するための機械的な機構であり、筐体開口部に隣接して設けられる。シャッター収納部３は、開いたシャッターを収納する空間を形成するための部材であり、筐体開口部の周縁に設けられる。
なお、シャッター開閉機構は電子機器の筐体と別個の構成であっても良いし、一体構成であってもよい。換言すると、電子機器の筐体の一部をシャッター収納部３とする構成であっても良いし、電子機器の筐体と別個の部材で構成されたシャッター収納部３を開口部に取り付けるようにしても良い。
【００４２】
シャッター部６は、シャッター６ａ及び６ｂを有しており、各シャッターは筐体開口部を幅方向に対して略対称に配置されている。シャッター６ａは弾性材７３ａ及び７４ａによって、シャッター６ｂは弾性材７３ｂ及び７４ｂによって弾発付勢されており、常態では筐体開口部を塞いでいる。なお、弾性体７３ａ，７４ａ及び７３ｂ，７３ｂは、ゴムのように材料自体が弾性を有するものであっても良いし、各種バネのように構造的に弾性が付与されたものであってもよい。また、各シャッターの両端には棒状のレバー６１ａ，６２ａ及び６１ｂ，６２ｂがそれぞれ設けられている。
ピン構造部７ａ，７ｂは、略円錐状のガイド部７１ａ，７１ｂと軸部７２ａ，７２ｂとで構成される開閉ピン７０ａ，７０ｂと弾性体７３ａ，７３ｂ，７４ａ，７４ｂとで構成されている。開閉ピン７０ａは、ガイド部７１ａの頂点がレバー６１ａとレバー６１ｂとの境界部に位置するように配置されている。また、開閉ピン７０ｂは、ガイド部７１ｂの頂点がレバー６２ａとレバー６２ｂとの境界部に位置するように配置されている。
【００４３】
上記構造のシャッター開閉機構は、端子（入出力端子など）が配置された電子機器筐体の開口部をシャッター部６が塞ぐように配置される。よって、シャッター６ａ及びシャッター６ｂが開いてシャッター収納部３に収納された状態のときには、接続対象物（コネクタなど）を端子に接続することが可能となる。なお、上記シャッター構造は、開閉ピン７０ａ，７０ｂの軸部７２ａ，７２ｂが電子機器の筐体外側となるように配置される。
【００４４】
本実施形態にかかるシャッター開閉機構の動作は第１の実施形態とほぼ同様であるが、本実施形態においては、シャッター部６の両脇にピン構造部７ａ，７ｂを設けているためシャッター６ａ，６ｂを開閉する際に、各シャッターに対して力が均等に作用する。
よって、開口部が細長い形状であっても確実にシャッターを開閉することが可能となる。
【００４５】
このように、本実施形態に係るシャッター開閉機構によれば、コネクタなどの接続対象物に突起を設けておくことで、これを押し当てるだけで筐体開口部を塞ぐシャッターを開くことができる。すなわち、従来は二つの動作が必要であった作業を一つの動作だけで行えるため、端子とコネクタなどとの接続を容易に行える。
また、端子からコネクタなどを取り外すだけで筐体開口部をシャッターが塞ぐため、シャッターの閉め忘れが原因で端子が破損したり、筐体内部に異物が侵入してしまうことなどがない。
さらに、開口部が細長い形状であっても確実にシャッターを開閉できる。
【００４６】
なお、本発明は任意の形状のシャッターに対して適用可能な構成のシャッター開閉機構であるから、電子機器の外観に合わせてシャッターの形状を変更したり、シャッターが閉まる際の密閉度を高めるための工夫をシャッター自体に容易に施すことが可能である。
【００４７】
また、上記各実施形態は、本発明の好適な実施の一例であり、本発明はこれに限定されるものではない。
例えば、ガイド部は上記実施形態に示した形状に限定されるものではなく、必ずしも錐状である必要はない。すなわち、ガイド部錐面に相当する面は必ずしも直線の集合によって形成される必要はない。
また、シャッターは開口部を塞ぐことのできる形状であれば良く、上記実施形態に示した形状に限定されるものではない。例えば、シャッターの出没をガイドする溝の位置や形状は、同様の効果が得られるのであれば任意の位置及び形状に変更可能である。
このように、本発明は様々な変形が可能である。
【００４８】
【発明の効果】
以上の説明によって明らかなように、本発明によれば、端子とコネクタなどとを容易に着脱できるように、電子機器の筐体に設けられた開口部を塞ぐシャッター開閉機構を提供できる。
【図面の簡単な説明】
【図１】本発明を好適に実施した第１の実施形態に係るシャッター開閉機構の構成を示す図である。
【図２】第１の実施形態にかかるシャッター開閉機構に適用されるシャッター及びピン構造部の構成を示す図である。
【図３】第１の実施形態に係るシャッター開閉機構のシャッターを開いた状態を示す図である。
【図４】本発明を好適に実施した第２の実施形態に係るシャッター開閉機構の構成を示す図である。
【図５】第２の実施形態に係るシャッター開閉機構のシャッターを開いた状態を示す図である。
【図６】本発明を好適に実施した第３の実施形態に係るシャッター開閉機構の構成を示す図である。
【図７】第３の実施形態に係るシャッター開閉機構のシャッターを開いた状態を示す図である。
【符号の説明】
１、６  シャッター部
１ａ、１ｂ、４、６ａ、６ｂ  シャッター
２、５、７ａ、７ｂ  ピン構造部
３  シャッター収納部
１１ａ、１１ｂ、４１、６１ａ、６１ｂ、６２ａ、６２ｂ  レバー
２０、５０、７０ａ、７０ｂ  開閉ピン
２１、５１、７１ａ、７１ｂ  ガイド部
２２、５２、７２ａ、７２ｂ  軸部
２３ａ、２３ｂ、５３、７３ａ、７３ｂ、７４ａ、７４ｂ  弾性体
【図１】
2004273372.tif 000003
【図２】
2004273372.tif 000004
【図３】
2004273372.tif 000005
【図４】
2004273372.tif 000006
【図５】
2004273372.tif 000007
【図６】
2004273372.tif 000008
【図７】
2004273372.tif 000009